【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
シートバッファリングおよび反転装置であって、
第１位置でシートストリームを受け取ると共に第２位置に前記ストリームを供給するシート搬送経路を備え、前記ストリームの各前記シートが、最初は、第１端が先端をなし、前記第１端の反対側の第２端が後端をなす向きを有するシート搬送経路と、
前記シート搬送経路に接続され、前記シート搬送経路にほぼ垂直な複数のシート反転経路を備え、
各シート反転経路は、
前記シート搬送経路に隣接する第１端部と、該第１端部に対向する第２端部と、
前記ストリームから選択されたシートを、その前記第１端が前記シート反転経路に搬入されるように方向転換する、前記第１端部に位置する第１ゲートと、
前記選択されたシートを、少なくともその前記第２端が前記シート反転経路内に収容されるまで前記シート搬送経路と離間する方向に搬送するシート搬送装置であって、前記シート反転経路は前記選択されたシートをバッファリングまたは保管し、その後前記シート搬送装置は前記選択されたシートが前記第１端部において前記ストリームに挿入されるように前記選択されたシートの方向転換を行って前記シート搬送経路に返送するシート搬送装置と、
前記選択されたシートが前記ストリームに再挿入される際に、前記選択されたシートが反転されて前記第２端が先端をなし、前記第１端が後端をなすように、前記選択されたシートを誘導する第２ゲートと、
前記第１位置と前記シート反転経路との間で前記シート搬送経路から分岐し、前記第２端部において前記シート反転経路の少なくとも１つに接続された追加のシート搬送経路であって、追加のシート搬送装置と追加のゲートとを備え、該追加のシート搬送装置と追加のゲートとが、さらなる選択されたシートを、前記追加のシート搬送経路に搬入されるように方向転換させ、さらに、該さらなる選択されたシートがバッファリングされて、その後前記第１端部において前記ストリームに再挿入される際に前記向きを維持するように、前記第２端部において前記シート反転経路の少なくとも１つに搬入させることができる、追加のシート搬送経路と、
を含むことを特徴とする装置。
【請求項２】
シートバッファリングおよび反転装置であって、
第１面および前記第１面と対向する第２面を有するフレームと、
前記第１面のシート入力ポートから前記第２面のシート出力ポートにわたって実質的に前記フレームを水平に横切るように延在するシート搬送経路であって、前記シート搬送経路に前記シート入力ポートからシートストリームが導入され、前記シート出力ポートへ前記ストリームが供給され、前記ストリームの前記各シートは、最初は、第１端が先端をなし第１端の反対側の第２端が後端をなす向きを有する、シート搬送経路と、
前記シート搬送経路に接続され、前記シート搬送経路から実質的に垂直に延びる複数のシート反転経路と、を備え、
各シート反転経路は、
前記シート搬送経路に隣接する第１端部と、該第１端部に対向する第２端部と、
前記ストリームから選択されたシートを、その前記第１端が前記シート反転経路に搬入されるように方向転換する、前記第１端部に位置する第１ゲートと、
前記選択されたシートを、少なくともその前記第２端が前記シート反転経路内に収容されるまで前記シート搬送経路と離間する方向に搬送するシート搬送装置であって、前記シート反転経路は前記選択されたシートをバッファリングまたは保管し、その後前記シート搬送装置は前記選択されたシートが前記第１端部において前記ストリームに挿入されるように前記選択されたシートの方向転換を行って前記シート搬送経路に返送するシート搬送装置と、
前記選択されたシートが前記ストリームに再挿入される際に、前記選択されたシートが反転されて前記第２端が先端をなし、前記第１端が後端をなすように、前記選択されたシートを誘導する第２ゲートと、
前記第１位置と前記シート反転経路との間で前記シート搬送経路から分岐し、前記第２端部において前記シート反転経路の少なくとも１つに接続された追加のシート搬送経路であって、追加のシート搬送装置と追加のゲートとを備え、該追加のシート搬送装置と追加のゲートとが、さらなる選択されたシートを、前記追加のシート搬送経路に搬入されるように方向転換させ、さらに、該さらなる選択されたシートがバッファリングされて、その後前記第１端部において前記ストリームに再挿入される際に前記向きを維持するように、前記第２端部において前記シート反転経路の少なくとも１つに搬入させることができる、追加のシート搬送経路と、
を含むことを特徴とする装置。
【請求項３】
第１印刷モジュールと、前記第１印刷モジュールに隣接する第２印刷モジュールと、少なくとも１つのシートバッファリングおよび反転モジュールを備える印刷システムであって、
前記シートバッファリングおよび反転モジュールは、
第１面および前記第１面と対向する第２面を有するフレームと、前記第１面のシート入力ポートから前記第２面のシート出力ポートにわたって実質的に前記フレームを水平に横切るように延在するシート搬送経路であって、前記シート搬送経路に前記シート入力ポートからシートストリームが導入され、前記シートストリームは、前記第１印刷モジュールおよび前記第２印刷モジュールの両方から送り出されたシートを合流させたシートストリームからなり、前記ストリームの前記各シートは、最初は、第１端が先端をなし、前記第１端の反対側の第２端が後端をなす向きを有し、前記シート搬送経路はさらに前記ストリームを前記シート出力ポートへ供給する、シート搬送経路と、
前記シート搬送経路に接続され、前記シート搬送経路から実質的に垂直に延びる複数のシート反転経路と、を有し、
前記各シート反転経路は、
前記第１端が前記シート反転経路に搬入されるように、前記ストリームから選択されたシートを方向転換する第１ゲートと、
少なくとも前記第２端が前記シート反転経路内に収容されるまで前記選択されたシートを前記シート搬送経路と離間するように搬送するシート搬送装置であって、前記シート反転経路は前記選択されたシートを保持し、その後前記シート搬送装置は前記選択されたシートが前記ストリームに挿入されるように前記選択されたシートの方向転換を行って前記シート搬送経路に返送する、シート搬送装置と、
前記選択されたシートを、少なくともその前記第２端が前記シート反転経路内に収容されるまで前記シート搬送経路と離間する方向に搬送するシート搬送装置であって、前記シート反転経路は前記選択されたシートを保持し、その後前記シート搬送装置は前記選択されたシートが前記第１端部において前記ストリームに挿入されるように前記選択されたシートの方向転換を行って前記シート搬送経路に返送するシート搬送装置と
前記選択されたシートが前記ストリームに再挿入される際に、前記選択されたシートが反転されて前記第２端が先端をなし、前記第１端が後端をなすように、前記選択されたシートを誘導する第２ゲートと、
前記第１位置と前記シート反転経路との間で前記シート搬送経路から分岐し、前記第２端部において前記シート反転経路の少なくとも１つに接続された追加のシート搬送経路であって、追加のシート搬送装置と追加のゲートとを備え、該追加のシート搬送装置と追加のゲートとが、さらなる選択されたシートを、前記追加のシート搬送経路に搬入されるように方向転換させ、さらに、該さらなる選択されたシートが、前記第１端部において前記ストリームに再挿入される際に前記向きを維持するように、前記第２端部において前記シート反転経路の少なくとも１つに搬入させることができる、追加のシート搬送経路と、
を含むことを特徴とする印刷システム。
【請求項４】
印刷エンジンと、シートバッファリングおよび反転装置を備える印刷システムであって、
前記シートバッファリングおよび反転装置は、
第１位置から印刷エンジンへ、さらに前記印刷エンジンから第２位置へ延びるシート搬送経路であって、前記第２位置から前記第１位置へのループバック接続をさらに有するシート搬送経路と、
前記第１位置と前記印刷エンジンとの間に位置する複数のシート反転経路であって、前記シート反転経路はそれぞれ、前記シート搬送経路に実質的に垂直であって、前記シート搬送経路に隣接する第１端部と前記第１端部の反対側の第２端部とをそれぞれ有するシート反転経路と、
前記第１位置と前記シート反転経路との間の前記シート搬送経路から分岐する追加のシート搬送経路であって、前記各シート反転経路の前記第２端部に接続する追加のシート搬送経路と、
複数のゲートおよびシート搬送装置であって、選択的に制御可能であり、前記印刷エンジンによる前記シートの処理前に、一部の選択されたシートのバッファリングおよび反転を、それらの選択されたシートを前記シート搬送経路から前記シート反転経路に前記第１端部において直接方向転換させることによって行わせ、さらに、追加の選択されたシートのバッファリングのみを、それらの追加選択シートを前記追加のシート搬送経路を介して前記第２端部において前記シート反転経路に方向転換させることにより行わせる、複数のゲートおよびシート搬送装置と、
を含むことを特徴とする印刷システム。